(57)【要約】【課題】ユーザの実際の生活パターンが生活目標に対して好ましいものであるかどうかがわかる生活パターン管理システムを提供する。【解決手段】生活パターン管理システム１は、ユーザの生活に関する生活情報を取得する生活情報取得部１１と、ユーザの生活における目標を達成するための生活パターンである目標パターンを取得する目標パターン取得部１６と、生活情報取得部１１が取得した生活情報に基づく生活パターンである実績パターンと、目標パターン取得部１６が取得した目標パターンとを比較する比較部１７と、比較部１７の比較結果を出力する出力部１９と、を備える。【選択図】図１
2018088195.tif 000002
【特許請求の範囲】
【請求項１】
ユーザの生活に関する生活情報を取得する生活情報取得部と、
前記ユーザの生活における目標を達成するための生活パターンである目標パターンを取得する目標パターン取得部と、
前記生活情報取得部が取得した前記生活情報に基づく生活パターンである実績パターンと、前記目標パターン取得部が取得した前記目標パターンとを比較する比較部と、
前記比較部の比較結果を出力する出力部と、を備える
生活パターン管理システム。
【請求項２】
前記生活パターン管理システムは、さらに、前記ユーザの生活における目標を取得する目標取得部を備え、
前記目標パターン取得部は、前記目標パターンとして、前記目標取得部が取得した前記目標に応じた生活パターンを取得する
請求項１に記載の生活パターン管理システム。
【請求項３】
前記生活パターン管理システムは、さらに、前記目標取得部が取得した前記目標に応じて、互いに異なる複数の生活パターンを提示する提示部を備え、
前記目標パターン取得部は、前記目標パターンとして、前記提示部が提示した前記複数の生活パターンのうち、ユーザに選択された生活パターンを取得する
請求項２に記載の生活パターン管理システム。
【請求項４】
前記生活パターン管理システムは、さらに、前記比較結果に基づいて、前記ユーザの生活パターンに関する提案を作成する提案部を備え、
前記出力部は、さらに、前記提案を出力する
請求項１〜３のいずれか１項に記載の生活パターン管理システム。
【請求項５】
前記提案は、前記ユーザに推奨する行動の提案を含む
請求項４に記載の生活パターン管理システム。
【請求項６】
前記提案は、前記比較結果が前記実績パターンでの生活では前記目標を達成できていないことを示す結果のとき、前記目標を達成するための提案を含む
請求項４に記載の生活パターン管理システム。
【請求項７】
前記提案は、前記目標を達成するためのスケジュールを含む
請求項４に記載の生活パターン管理システム。
【請求項８】
前記生活パターン管理システムは、さらに、
前記ユーザの生体に関する情報である生体情報を取得する生体情報取得部と、
前記生体情報に基づいて、前記目標パターンを変化させる目標パターン調整部と、を備える
請求項１〜７のいずれか１項に記載の生活パターン管理システム。
【請求項９】
前記出力部は、前記比較結果と共に、前記生体情報の変化を出力する
請求項８に記載の生活パターン管理システム。
【請求項１０】
前記生活情報は、前記ユーザが生活する施設の資源の消費量に関する情報である
請求項１〜９のいずれか１項に記載の生活パターン管理システム。
【請求項１１】
前記出力部は、前記ユーザが生活する施設の機器を制御する情報を出力する
請求項１〜１０のいずれか１項に記載の生活パターン管理システム。
【請求項１２】
ユーザの生活に関する生活情報を取得する生活情報取得ステップと、
前記ユーザの生活における目標を達成するための生活パターンである目標パターンを取得する目標パターン取得ステップと、
前記生活情報取得ステップで取得した前記生活情報に基づく生活パターンである実績パターンと、前記目標パターン取得ステップで取得した前記目標パターンとを比較する比較ステップと、
前記比較ステップでの比較結果を出力する出力ステップと、を含む
生活パターン管理方法。
【請求項１３】
請求項１２に記載の生活パターン管理方法をコンピュータに実行させる
プログラム。
【発明の詳細な説明】
【技術分野】
【０００１】
本発明は、ユーザの生活パターンを管理する生活パターン管理システム、生活パターン管理方法及びプログラムに関する。
【背景技術】
【０００２】
従来、ユーザの生活における行動のパターン（生活パターンと呼ぶ）の特徴を抽出し、当該特徴に基づいてユーザの生活パターンの傾向を推定する行動分析装置が知られている。例えば、当該行動分析装置によってユーザの就寝時刻及び起床時刻等の傾向が推定される。特許文献１には、このような行動分析装置に関する技術が記載されている。
【先行技術文献】
【特許文献】
【０００３】
【特許文献１】特開２０１６−５８０２９号公報
【発明の概要】
【発明が解決しようとする課題】
【０００４】
しかしながら、特許文献１に記載の行動分析装置は、生活パターンの傾向を推定するに過ぎず、ユーザの実際の生活パターンがユーザの生活における目標（生活目標と呼ぶ）に対して好ましいものであるかどうかがわからなかった。
【０００５】
そこで本発明は、ユーザの実際の生活パターンが生活目標に対して好ましいものであるかどうかがわかる生活パターン管理システム、生活パターン管理方法及びプログラムを提供することを目的とする。
【課題を解決するための手段】
【０００６】
本発明の一態様に係る生活パターン管理システムは、ユーザの生活に関する生活情報を取得する生活情報取得部と、前記ユーザの生活における目標を達成するための生活パターンである目標パターンを取得する目標パターン取得部と、前記生活情報取得部が取得した前記生活情報に基づく生活パターンである実績パターンと、前記目標パターン取得部が取得した前記目標パターンとを比較する比較部と、前記比較部の比較結果を出力する出力部と、を備える。
【０００７】
本発明の一態様に係る生活パターン管理方法は、ユーザの生活に関する生活情報を取得する生活情報取得ステップと、前記ユーザの生活における目標を達成するための生活パターンである目標パターンを取得する目標パターン取得ステップと、前記生活情報取得ステップで取得した前記生活情報に基づく生活パターンである実績パターンと、前記目標パターン取得ステップで取得した前記目標パターンとを比較する比較ステップと、前記比較ステップでの比較結果を出力する出力ステップと、を含む。
【０００８】
本発明の一態様に係るプログラムは、上記の生活パターン管理方法をコンピュータに実行させる。
【発明の効果】
【０００９】
本発明の一態様に係る生活パターン管理システム、生活パターン管理方法及びプログラムによれば、ユーザの実際の生活パターンが生活目標に対して好ましいものであるかどうかがわかる。
【図面の簡単な説明】
【００１０】
【図１】図１は、実施の形態に係る生活パターン管理システムの一例を示す構成図である。
【図２】図２は、実施の形態に係る生活パターン管理システムの動作の一例を示すフローチャートである。
【図３】図３は、実施の形態に係る目標パターン取得部が目標パターンを取得する際の生活パターン管理システムの動作の一例を示すフローチャートである。
【図４】図４は、実施の形態に係る目標取得部を説明するための図である。
【図５】図５は、実施の形態に係る提示部を説明するための図である。
【図６】図６は、実施の形態に係る比較部の比較結果の一例を示す図である。
【図７】図７は、実施の形態に係る提案部が作成する提案の一例を示す図である。
【図８】図８は、実施の形態に係る提案部が作成する提案の他の一例を示す図である。
【図９】図９は、実施の形態に係る比較部の比較結果の他の一例を示す図である。
【図１０】図１０は、実施の形態に係る比較部の比較結果の他の一例を示す図である。
【発明を実施するための形態】
【００１１】
以下では、本発明の実施の形態について、図面を用いて詳細に説明する。なお、以下に説明する実施の形態は、いずれも本発明の好ましい一具体例を示すものである。従って、以下の実施の形態で示される数値、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態）
以下、実施の形態について、図１から図１０を用いて説明する。
【００１４】
［生活パターン管理システムの構成］
図１は、実施の形態に係る生活パターン管理システム１の一例を示す構成図である。
【００１５】
生活パターン管理システム１は、ユーザの実際の生活パターンが、ユーザの生活における目標（生活目標）に対して好ましいものであるかどうかがわかるシステムである。生活パターンとは、ユーザの生活における行動のパターン、及び、ユーザの生活する環境の状態のパターンのことである。生活パターンは、例えば、ユーザの日々の、食事時刻、活動量、就寝・起床時刻、入浴時間、入浴時の湯温、又は、生活する空間（施設）の温度・湿度等のパターンのことである。また、生活目標とは、例えば、痩せる、健康を維持する、子供の成育を促進する、又は、美しくなる等の身体に関する目標のことである。生活パターン管理システム１によって、ユーザは、例えば日々の食事時刻のパターンが、痩せるという目標に対して好ましいものかどうかがわかる。生活パターン管理システム１は、管理装置１０及び情報端末１００を備える。
【００１６】
管理装置１０は、例えば、ユーザが生活する施設に設置されるコンピュータである。管理装置１０は、例えば、施設（住宅）における電力等のエネルギー管理（エネルギー消費の抑制のための機器制御等）をするＨＥＭＳ（Ｈｏｍｅ  Ｅｎｅｒｇｙ  Ｍａｎａｇｅｍｅｎｔ  Ｓｙｓｔｅｍ）におけるＨＥＭＳコントローラとしての機能を担っている。管理装置１０は、機能構成要素として、生活情報取得部１１、生体情報取得部１２、目標パターン調整部１３、目標取得部１４、提示部１５、目標パターン取得部１６、比較部１７、提案部１８及び出力部１９を備える。また、管理装置１０は、記憶部２０を備える。また、管理装置１０は、例えば通信回路（図示せず）を備え、有線又は無線により情報端末１００と通信可能である。生活情報取得部１１、生体情報取得部１２、目標パターン調整部１３、目標取得部１４、提示部１５、目標パターン取得部１６、比較部１７、提案部１８及び出力部１９は、例えば、記憶部２０に記憶されたプログラムを実行するプロセッサ等により実現されるが、マイクロコンピュータ又は専用回路等により実現されてもよい。生活情報取得部１１、生体情報取得部１２、目標パターン調整部１３、目標取得部１４、提示部１５、目標パターン取得部１６、比較部１７、提案部１８及び出力部１９については、後述する図２から図１０で詳細に説明する。
【００１７】
記憶部２０は、プログラム及びデータを保持しているＲＯＭ（Ｒｅａｄ  Ｏｎｌｙ  Ｍｅｍｏｒｙ）、プログラムの実行に際してデータ等の記憶に利用するためのＲＡＭ（Ｒａｎｄｏｍ  Ａｃｃｅｓｓ  Ｍｅｍｏｒｙ）等のメモリである。記憶部２０は、生活目標を達成するための生活パターンを記憶する。記憶部２０は、複数の互いに異なる生活パターンを記憶しており、当該生活パターンにはそれぞれ生活目標が対応付けられている。
【００１８】
情報端末１００は、スマートフォン、タブレット等の端末装置であり、メモリ、プロセッサ、入力装置、表示装置１１０、スピーカ、通信回路等を備えるコンピュータである。表示装置１１０は例えばＬＣＤ（Ｌｉｑｕｉｄ  Ｃｒｙｓｔａｌ  Ｄｉｓｐｌａｙ）等のディスプレイであり、入力装置は例えばスイッチ、ボタン、キーボード等の操作部或いはディスプレイと一体となったタッチパネル等である。ここでは、入力装置をタッチパネルとし、表示装置１１０は、入力装置の機能を兼ねているとする。メモリは、プログラム及びデータを予め保持しているＲＯＭ、プログラムの実行に際してデータ等の記憶に利用するためのＲＡＭ等である。プロセッサは、メモリに格納された制御プログラムを実行することにより通信回路等を制御して制御処理等を行う。プログラムは例えばＯＳ（Ｏｐｅｒａｔｉｎｇ  Ｓｙｓｔｅｍ）の一部或いはアプリケーションプログラムである。情報端末１００は、例えば、入力装置によって入力された情報を管理装置１０に送信し、管理装置１０から受信した情報を表示装置１１０又はスピーカ等によって出力する。
【００１９】
［生活パターン管理システムの動作］
次に、生活パターン管理システム１の動作について、図２から図１０を用いて説明する。
【００２０】
図２は、実施の形態に係る生活パターン管理システム１の動作の一例を示すフローチャートである。
【００２１】
生活情報取得部１１は、ユーザの生活に関する生活情報を取得する（ステップＳ１１）。生活情報は、ユーザが生活する施設（管理装置１０が設置された施設）の資源の消費量に関する情報、施設に設置されたセンサの検知結果に関する情報、又は、ウェアラブル端末で取得された生体情報等である。施設の資源の消費量に関する情報とは、例えば施設の消費電力量等であり、当該情報には、施設の部屋毎の消費電力量が含まれる。生活情報取得部１１は、管理装置１０が有するＨＥＭＳコントローラとしての機能により施設の資源の消費量に関する情報を取得する。施設に設置されたセンサの検知結果に関する情報は、例えば、施設に設置された温度計又は湿度計等で計測された、施設の部屋の温度若しくは湿度、又は、施設の浴槽の湯の温度（入浴温度と呼ぶ）等である。生活情報取得部１１は、管理装置１０とセンサとが通信することで施設に設置されたセンサの検知結果に関する情報を取得する。ウェアラブル端末で取得された生体情報は、例えば、活動量計又は血圧計等で取得されたユーザの活動量又は血圧等である。生活情報取得部１１は、管理装置１０とウェアラブル端末とが通信することで当該生体情報を取得する。
【００２２】
なお、生活情報は、ユーザに入力された情報であってもよい。上述した資源の消費量に関する情報、センサの検知結果に関する情報、又は、ウェアラブル端末で取得された生体情報等が例えば情報端末１００等を介してユーザに入力され、生活情報取得部１１は、当該入力された情報を取得してもよい。また、例えば、施設に設置された管理装置１０、センサ又はウェアラブル端末からではわからない情報（例えば食事内容、施設外での食事時刻等の情報）がユーザに入力されてもよい。また、生活情報は、施設の資源の消費量に関する情報、施設に設置されたセンサの検知結果に関する情報、ウェアラブル端末で取得された生体情報、及び、ユーザに入力された情報が組み合わされた情報であってもよい。
【００２３】
次に、目標パターン取得部１６は、ユーザの生活における目標を達成するための生活パターンである目標パターンを取得する（ステップＳ１２）。ステップＳ１２に関わる処理について、図３を用いて説明する。
【００２４】
図３は、実施の形態に係る目標パターン取得部１６が目標パターンを取得する際の生活パターン管理システム１の動作の一例を示すフローチャートである。
【００２５】
まず、目標取得部１４は、ユーザの生活における目標（生活目標）を取得する（ステップＳ２１）。目標取得部１４が生活目標を取得するために、管理装置１０は、生活目標をユーザに選択させるための表示をするように情報端末１００に指示し、情報端末１００は、表示装置１１０に当該表示をする。図４は、実施の形態に係る目標取得部１４を説明するための図であり、当該表示の一例が示されている。例えば、図４の（ａ）に示されるように、「子育て」、「美容」、「ダイエット」と記載された選択（タップ）可能なアイコンが表示される。「子育て」は子供の成育を促進するという生活目標を意味し、「美容」は美しくなるという生活目標を意味し、「ダイエット」は痩せるという生活目標を意味している。ユーザは、これらの目標のうち達成したい生活目標を選択する。具体的には、ユーザは、表示装置１１０に表示されたこれらのアイコンのうち達成したい生活目標に対応するアイコンを選択する。ここでは、例えば、痩せるという生活目標を意味する「ダイエット」が選択されたとする。なお、「ダイエット」が選択された後に、さらに、図４の（ｂ）に示されるように、身体のどのあたりを痩せることを生活目標とするかを選択できてもよい。このようにして、目標取得部１４は、ユーザに選択された生活目標を取得する。
【００２６】
次に、提示部１５は、目標取得部１４が取得した生活目標に応じて、互いに異なる複数の生活パターンを提示する（ステップＳ２２）。例えば、提示部１５は、記憶部２０に記憶された、痩せるという生活目標に対応付けられた複数の生活パターンを提示する。具体的には、提示部１５は、当該複数の生活パターンを表示するように情報端末１００に指示し、情報端末１００は、表示装置１１０に当該複数の生活パターンを表示する。図５は、実施の形態に係る提示部１５を説明するための図であり、当該複数の生活パターンの一例が示されている。例えば、図５には、痩せるという生活目標を達成するための生活パターン（痩せるという生活目標が対応付けられた生活パターン）が２つ示されている。具体的には、図５の上側に示される生活パターンは、痩せるという生活目標を達成するための入浴温度・時間に関する生活パターンであり、３９℃で２０分間入浴することで脂肪の燃焼効果があることを示している。また、図５の下側に示される生活パターンは、痩せるという生活目標を達成するための食事時刻に関する生活パターンであり、食事を６〜７時、１０〜１１時、１６〜１７時にとることで消化の促進効果があることを示している。
【００２７】
例えば、これらの生活パターンは選択可能なアイコンとなっており、ユーザは、これらのうちの少なくとも１つを選択する。例えば、ユーザは、脂肪の燃焼効果のある入浴温度・時間の生活パターンに対して、ユーザの実際の入浴温度・時間の生活パターンが好ましいものになっているかどうかを確認したい場合、図５の上側に示される生活パターンを選択する。また、例えば、ユーザは、消化の促進効果のある食事時刻の生活パターンに対して、ユーザの実際の食事時刻の生活パターンが好ましいものになっているかどうかを確認したい場合、図５の下側に示される生活パターンを選択する。なお、ユーザは、実際の入浴温度・時間及び食事時刻の両方の生活パターンが好ましいものになっているかどうかを確認したい場合、図５に示される両方の生活パターンを選択してもよい。
【００２８】
そして、目標パターン取得部１６は、目標パターンとして、提示部１５が提示した複数の生活パターンのうち、ユーザに選択された生活パターンを取得する（ステップＳ２３）。例えば、脂肪の燃焼効果のある入浴温度・時間の生活パターンが選択されたとする。
【００２９】
このように、ステップＳ１２に関わる処理について、目標パターン取得部１６は、目標パターンとして、目標取得部１４が取得した生活目標に応じた生活パターンを取得する。
【００３０】
なお、目標パターン調整部１３は、生体情報取得部１２が取得するユーザの生体に関する情報である生体情報に基づいて、目標パターンを変化させてもよい。具体的には、まず、生体情報取得部１２は、生体情報として例えばユーザの活動量又は血圧等をウェアラブル端末又は情報端末１００等から取得する。そして、目標パターン調整部１３は、当該生体情報が生活目標の達成を補助することを示す情報の場合、目標パターンを緩和するように変化させる。例えば、生活目標が痩せることの場合、生活目標の達成を補助することを示す情報とは、活動量が多いことを示す情報であり、目標パターンを緩和するとは、目標パターンを、生活目標の達成のための効果が小さくなるがユーザにとって実施しやすいものに変化させることを意味する。また、目標パターン調整部１３は、当該生体情報が生活目標の達成を妨げることを示す情報の場合、目標パターンを厳しくするように変化させる。生活目標が痩せることの場合、生活目標の達成を妨げることを示す情報とは、例えば、活動量が少ないことを示す情報であり、目標パターンを厳しくするとは、目標パターンを、生活目標の達成のための効果が大きくなるがユーザにとって実施しにくいものに変化させることを意味する。このように、生体情報に基づいて目標パターンを変化させてもよい。
【００３１】
次に、比較部１７は、生活情報取得部１１が取得した生活情報に基づく生活パターンである実績パターンと、目標パターン取得部１６が取得した目標パターンとを比較する（ステップＳ１３）。生活情報取得部１１は、生活情報として施設の浴室の消費電力量及び入浴温度を取得しているとする。例えば、生活情報取得部１１は、施設の浴室の消費電力量に基づきユーザの実際の入浴時間に関する実績パターンを推定する。具体的には、生活情報取得部１１は、浴室の消費電力量（例えば浴室の照明の消費電力量）が大きくなっている時間からユーザの実際の入浴時間に関する実績パターンを推定する。例えば、生活情報取得部１１は、浴室の消費電力量が大きくなっている時間が１０分だった場合、ユーザの実際の入浴時間を１０分と推定する。また、例えば、生活情報取得部１１は、温度計等のセンサによる入浴温度の検知結果に基づきユーザの実際の入浴温度に関する実績パターンを推定する。例えば、生活情報取得部１１は、センサの検知結果が４１℃だった場合、ユーザの実際の入浴温度を４１℃と推定する。生活情報取得部１１が取得した生活情報に基づく実績パターンはこのようにして推定され、比較部１７は、実績パターンと目標パターンとを比較する。
【００３２】
そして、出力部１９は、比較部１７の比較結果を出力する（ステップＳ１４）。例えば、出力部１９は、当該比較結果を示す情報を情報端末１００に対して出力（送信）し、情報端末１００は、表示装置１１０に当該比較結果を表示する。図６は、実施の形態に係る比較部１７の比較結果の一例を示す図であり、入浴温度・時間に関する、実績パターンと目標パターンとの比較結果を示している。図６におけるグラフでは、破線が実績パターンを示し、実線が目標パターンを示している。ユーザは、表示装置１１０に表示された比較結果を確認することで、ユーザの実際の生活パターンが生活目標に対して好ましいものであるかどうかがわかる。例えば、図６では、実績パターンが目標パターンに対して、入浴時間が短く、入浴温度が高くなっているため、ユーザは、入浴温度・時間に関する実際の生活パターンが痩せるという生活目標に対して好ましいものになっていないことがわかる。
【００３３】
なお、出力部１９は、さらに、比較部１７の比較結果に基づいて、ユーザの生活パターンに関する提案を出力してもよい。当該提案は、提案部１８に作成される。当該提案は、ユーザに推奨する行動の提案を含む。提案部１８は、例えば、比較結果から実績パターンが目標パターンに対して、入浴時間が短く、入浴温度が高いことを認識し、実績パターンが目標パターンに近づくように、入浴時間を長くし、入浴温度を低くすることを推奨する提案を作成する。出力部１９は、当該提案を例えば情報端末１００に対して出力し、情報端末１００は、図７に示されるように表示装置１１０に当該提案を表示する。図７は、実施の形態に係る提案部１８が作成する提案の一例を示す図である。
【００３４】
また、当該提案は、比較結果が、実績パターンでの生活では生活目標を達成できていないことを示す結果のとき、生活目標を達成するための提案を含んでいてもよい。実績パターンでの生活では生活目標を達成できていないとは、例えば、実績パターンが点数化され、当該点数が所定以下となっていることである。当該点数は、例えば、実績パターンと目標パターンとが一致している場合に１００点とし、ずれが大きくなるにつれて低い点数となる。また、生活目標を達成するための提案とは、例えば、目標パターンの具体的な内容の提案である。提案部１８は、実績パターンが目標パターンになるように、入浴時間を２０分にし、入浴温度を３９℃にすることを推奨する提案を作成する。出力部１９は、当該提案を例えば情報端末１００に対して出力し、情報端末１００は、図８に示されるように表示装置１１０に当該提案を表示する。図８は、実施の形態に係る提案部１８が作成する提案の他の一例を示す図である。なお、図８に示されるように、実績パターンの点数が表示されてもよい。
【００３５】
なお、目標パターン取得部１６が複数の目標パターンを取得している場合、当該複数の目標パターンのそれぞれに対応する実績パターンが点数化されてもよい。つまり、例えば、入浴温度・時間に関する実績パターン及び食事時刻に関する実績パターンがそれぞれ点数化されてもよい。そして、点数が所定以下の実績パターンを目標パターンにするための提案がされてもよい。例えば、入浴温度・時間に関する実績パターンの点数及び食事時刻に関する実績パターンの点数のうち、入浴温度・時間に関する実績パターンの点数のみ所定以下の場合、入浴温度・時間に関する実績パターンを目標パターンにするための提案がされる。
【００３６】
また、当該複数の目標パターンのそれぞれに対応する実績パターンが点数化され、点数それぞれに所定の係数が重み付けされて加算されてもよい。例えば、生活目標への影響度が大きい生活パターンに関する実績パターンに大きな係数が重み付けされる。具体的には、痩せるという生活目標に対して、食事時刻のほうが入浴温度・時間よりも影響度が大きい場合に、例えば、食事時刻に関する実績パターンの点数に大きな係数（例えば０．７）が重み付けされ、入浴温度・時間に関する実績パターンの点数に小さな係数（例えば０．３）が重み付けされる。
【００３７】
また、当該提案は、生活目標を達成するためのスケジュールを含んでいてもよい。例えば、情報端末１００は、当該提案に含まれるスケジュールに応じて、生活目標を達成するための報知をしてもよい。例えば、情報端末１００は、食事時刻に関する目標パターンにおける食事時刻に、推奨される食事時刻であることを、スピーカ又は表示装置１１０によって報知してもよい。
【００３８】
また、出力部１９は、比較結果と共に、生体情報取得部１２が取得した生体情報の変化を出力してもよい。例えば、出力部１９は、日々の生体情報の変化を出力する。例えば、痩せるという生活目標に対して、ユーザは、実績パターンが目標パターン近づくように痩せるために行った行動の結果を活動量等の変化として確認することができる。
【００３９】
また、出力部１９は、ユーザが生活する施設の機器を制御する情報を出力してもよい。ユーザは、実際の生活パターンが生活目標に対して好ましいものであるかどうかがわかるだけでは、実際の生活パターンが生活目標に対して好ましいものになるように行動しないことがある。例えば、ユーザは、痩せるという生活目標に対して、入浴温度を低くしたほうがよいことを比較結果からわかったとしても、実際に入浴する際に入浴温度を低くすることを忘れることがある。そこで、出力部１９は、例えば、施設の給湯器を制御する情報を出力し、給湯器の設定温度を低くする。これにより、ユーザが入浴温度を低くすることを忘れていたとしても、自動的に入浴温度が低くなり、ユーザの実際の生活パターンを生活目標に対して好ましいものにすることができる。ただし、予めユーザからの同意を得ている場合に限り、出力部１９は自動的に施設の機器を制御する情報を出力することが好ましい。
【００４０】
なお、目標取得部１４が痩せるという生活目標を取得した場合の生活パターン管理システム１の動作について説明したが、以下では、目標取得部１４がその他の生活目標を取得した場合の生活パターン管理システム１の動作について説明する。
【００４１】
まず、目標取得部１４が、子供の成育を促進するという生活目標を取得した場合について説明する。提示部１５は、記憶部２０に記憶された、子供の成育を促進するという生活目標に対応付けられた複数の生活パターンを提示する。ユーザは、提示された複数の生活パターンのうちの少なくとも１つとして子供の就寝・起床時刻に関する生活パターンを選択したとする。なお、当該生活パターンは、少なくとも成長ホルモン分泌時間帯（２２時〜２時）に睡眠をとるような生活パターンになっており、子供の成育の促進効果がある。目標パターン取得部１６は、ユーザに選択された当該生活パターンを目標パターンとして取得する。生活情報取得部１１は、生活情報として施設の子供部屋の消費電力量を取得しているとする。例えば、生活情報取得部１１は、施設の子供部屋の消費電力量に基づきユーザの子供の実際の就寝・起床時刻に関する実績パターンを推定する。具体的には、生活情報取得部１１は、子供部屋の消費電力量（例えば子供部屋の照明の消費電力量）が小さくなっている時間からユーザの子供の実際の就寝・起床時刻に関する実績パターンを推定する。比較部１７は、ユーザの子供の就寝・起床時刻に関する、実績パターンと目標パターンとを比較する。そして、出力部１９は、比較部１７の比較結果を出力する。図９は、実施の形態に係る比較部１７の比較結果の他の一例を示す図であり、子供の就寝・起床時刻に関する、実績パターンと目標パターンとの比較結果を示している。例えば、図９では、実績パターンが目標パターンに対して、就寝時刻が遅く、起床時刻が遅くなっているため、ユーザは、子供の就寝・起床時刻に関する実際の生活パターンが子供の成育を促進するという生活目標に対して好ましいものになっていないことがわかる。
【００４２】
また、目標取得部１４が、美しくなるという生活目標を取得した場合について説明する。提示部１５は、記憶部２０に記憶された、美しくなるという生活目標に対応付けられた複数の生活パターンを提示する。ユーザは、提示された複数の生活パターンのうちの少なくとも１つとして部屋の湿度に関する生活パターンを選択したとする。なお、当該生活パターンは、美肌のために適した部屋の湿度に関する生活パターンになっており、美肌の向上の効果がある。目標パターン取得部１６は、ユーザに選択された当該生活パターンを目標パターンとして取得する。生活情報取得部１１は、生活情報として部屋の湿度を取得しているとする。比較部１７は、部屋の湿度に関する、実績パターンと目標パターンとを比較する。そして、出力部１９は、比較部１７の比較結果を出力する。図１０は、実施の形態に係る比較部１７の比較結果の他の一例を示す図であり、部屋の湿度に関する、実績パターンと目標パターンとの比較結果を示している。例えば、図１０では、実績パターンが目標パターンに対してずれているため、ユーザは、部屋の湿度に関する実際の生活パターンが美しくなるという生活目標に対して好ましいものになっていないことがわかる。
【００４３】
［効果等］
従来、ユーザの実際の生活パターンがユーザの生活における生活目標に対して好ましいものであるかどうかがわからず、ユーザは、どういう行動をすれば生活目標を達成できるかわからなかった。
【００４４】
そこで、本実施の形態に係る生活パターン管理システム１は、ユーザの生活に関する生活情報を取得する生活情報取得部１１と、ユーザの生活における目標を達成するための生活パターンである目標パターンを取得する目標パターン取得部１６と、生活情報取得部１１が取得した生活情報に基づく生活パターンである実績パターンと、目標パターン取得部１６が取得した目標パターンとを比較する比較部１７と、比較部１７の比較結果を出力する出力部１９と、を備える。
【００４５】
また、本実施の形態に係る生活パターン管理方法は、ユーザの生活に関する生活情報を取得する生活情報取得ステップと、ユーザの生活における目標を達成するための生活パターンである目標パターンを取得する目標パターン取得ステップと、生活情報取得ステップで取得した生活情報に基づく生活パターンである実績パターンと、目標パターン取得ステップで取得した目標パターンとを比較する比較ステップと、比較ステップでの比較結果を出力する出力ステップと、を含む。
【００４６】
また、本実施の形態に係るプログラムは、上記の生活パターン管理方法をコンピュータに実行させる。
【００４７】
これにより、生活目標を達成するための目標パターンとユーザの生活に関する生活情報に基づく実績パターンとの比較結果が出力されるため、ユーザは、当該比較結果を確認することで、ユーザの実際の生活パターンが生活目標に対して好ましいものであるかどうかがわかる。例えば、ユーザは、実績パターンを目標パターンに近づけるように行動すれば生活目標を達成できることがわかる。
【００４８】
また、生活パターン管理システム１は、さらに、ユーザの生活における目標を取得する目標取得部１４を備え、目標パターン取得部１６は、目標パターンとして、目標取得部１４が取得した目標に応じた生活パターンを取得する。
【００４９】
これにより、ユーザが達成したいと考えている生活目標を例えば入力するだけで、自動的に当該生活目標に応じた目標パターンが決められる。例えば、ユーザは、痩せるという漠然とした生活目標を入力すれば、当該生活目標を達成するための具体的な生活パターンである目標パターンが自動的に決められる。
【００５０】
また、生活パターン管理システム１は、さらに、目標取得部１４が取得した生活目標に応じて、互いに異なる複数の生活パターンを提示する提示部１５を備え、目標パターン取得部１６は、目標パターンとして、提示部１５が提示した複数の生活パターンのうち、ユーザに選択された生活パターンを取得する。
【００５１】
これにより、ユーザは、生活目標に対して好ましいものであるかどうかを知りたい生活パターンを選択することができる。例えば、痩せるという生活目標に対応した生活パターンとして、食事時刻に関する生活パターンと入浴温度・時間に関する生活パターンとの２つの生活パターンがある場合に、ユーザが食事時刻に関する生活パターンが生活目標に対して好ましいものであるかどうかを知りたいと考えたときには、食事時刻に関する生活パターンを選択することができる。
【００５２】
また、生活パターン管理システム１は、さらに、比較結果に基づいて、ユーザの生活パターンに関する提案を作成する提案部１８を備え、出力部１９は、さらに、当該提案を出力する。
【００５３】
これにより、ユーザは、実際の生活パターンが生活目標に対して好ましいものであるかどうかがわかるだけでなく、さらに、比較結果に基づく提案を受けることができ、生活目標を達成しやすくなる。
【００５４】
例えば、当該提案は、ユーザに推奨する行動の提案を含む。
【００５５】
これにより、ユーザは、比較結果から推奨される行動の提案を受けることができ、生活目標を達成しやすくなる。
【００５６】
また、例えば、当該提案は、比較結果が実績パターンでの生活では生活目標を達成できていないことを示す結果のとき、生活目標を達成するための提案を含む。
【００５７】
これにより、ユーザは、生活目標を達成するために推奨される行動の提案を受けることができ、生活目標を達成しやすくなる。
【００５８】
また、例えば、当該提案は、生活目標を達成するためのスケジュールを含む。
【００５９】
これにより、ユーザは、生活目標を達成するための行動に関するスケジュールの提案を受けることができる。また、例えば、情報端末１００等が当該スケジュールに合わせてユーザへの報知をすることで、ユーザはスケジュール通りの行動をしやすくなり、生活目標を達成しやすくなる。
【００６０】
また、生活パターン管理システム１は、さらに、ユーザの生体に関する情報である生体情報を取得する生体情報取得部１２と、生体情報に基づいて、目標パターンを変化させる目標パターン調整部１３と、を備える。
【００６１】
例えば、ユーザに応じて活動量等の生体情報は異なるため、予め記憶部２０に記憶された、目標パターンの候補である生活パターンはユーザにとって最適なものではないことがある。これに対して、本態様では、目標パターンを各ユーザの生体情報に合わせたものにすることができる。
【００６２】
また、出力部１９は、比較結果と共に、生体情報の変化を出力する。
【００６３】
これにより、ユーザは、実績パターンが目標パターン近づくように（生活目標を達成するように）行った行動の結果を生体情報の変化として確認することができる。
【００６４】
また、生活情報は、ユーザが生活する施設の資源の消費量に関する情報である。
【００６５】
施設の資源の消費量は、例えば、施設の消費電力量である。例えば、ダイニングルームの消費電力量から、ユーザがダイニングルームに居た時刻を推定できる。つまり、ユーザの食事時刻を推定できる。同様に、例えば、浴室の消費電力量から、ユーザが浴室に居た時間を推定できる。つまり、ユーザの入浴時間を推定できる。このように、施設の資源の消費量から施設におけるユーザの生活パターンを推定することができる。
【００６６】
また、比較部１７は、ユーザが生活する施設の機器を制御する情報を出力する。
【００６７】
これにより、ユーザが、実際の生活パターンが生活目標に対して好ましいものになるように行動することを忘れている場合でも、自動的に施設の機器が制御され、実際の生活パターンを生活目標に対して好ましいものにすることができる。
【００６８】
（その他の実施の形態）
以上、実施の形態に係る生活パターン管理システム１、生活パターン管理方法及びそのプログラムについて説明したが、本発明は、上記実施の形態に限定されるものではない。
【００６９】
例えば、上記実施の形態では、生活パターン管理システム１は、生活情報取得部１１、生体情報取得部１２、目標パターン調整部１３、目標取得部１４、提示部１５、目標パターン取得部１６、比較部１７、提案部１８及び出力部１９を備えたが、生体情報取得部１２、目標パターン調整部１３、目標取得部１４、提示部１５、提案部１８を備えていなくてもよい。つまり、生活パターン管理システム１は、少なくとも生活情報取得部１１、目標パターン取得部１６、比較部１７及び出力部１９を備えていればよい。
【００７０】
また、例えば、上記実施の形態では、生活パターン管理システム１は、情報端末１００を備えたが、備えていなくてもよい。例えば、情報端末１００の入力装置及び表示装置１１０の機能を、管理装置１０が備えていてもよい。
【００７１】
また、例えば、上記実施の形態では、管理装置１０は、ＨＥＭＳコントローラとしての機能を担っている装置であったが、サーバ装置であってもよい。また、生活パターン管理システム１が備える複数の構成要素が１つの機器で実現されなくてもよく、複数の機器に点在していてもよい。
【００７２】
また、例えば、上記実施の形態では、ステップＳ１１での処理の後に、ステップＳ１２での処理が行われたが、ステップＳ１２での処理の後に、ステップＳ１１での処理が行われてもよい。
【００７３】
また、例えば、上記実施の形態では、生活目標は、例えば、痩せる、健康を維持する、子供の成育を促進する、又は、美しくなる等の身体に関する目標のことであったが、これらに限らない。例えば、生活目標は、スポーツ選手、モデル、又は、俳優等の特定の人になりたいという目標であってもよい。この場合、これらの特定の人の生活パターンが例えば記憶部２０に予め記憶され、当該生活パターンが目標パターンの候補となる。
【００７４】
また、本発明は、生活パターン管理システム１として実現できるだけでなく、生活パターン管理システム１を構成する各構成要素が行うステップ（処理）を含む方法として実現できる。
【００７５】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００７６】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【００７７】
また、上記実施の形態の生活パターン管理システム１に含まれる各構成要素は、専用又は汎用の回路として実現されてもよい。
【００７８】
また、上記実施の形態の生活パターン管理システム１に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００７９】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【００８０】
さらに、半導体技術の進歩又は派生する別技術によりＬＳＩに置き換わる集積回路化の技術が登場すれば、当然、その技術を用いて、生活パターン管理システム１に含まれる各構成要素の集積回路化が行われてもよい。
【００８１】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８２】
１  生活パターン管理システム
１０  管理装置
１１  生活情報取得部
１２  生体情報取得部
１３  目標パターン調整部
１４  目標取得部
１５  提示部
１６  目標パターン取得部
１７  比較部
１８  提案部
１９  出力部
【図１】
2018088195.tif 000003
【図２】
2018088195.tif 000004
【図３】
2018088195.tif 000005
【図４】
2018088195.tif 000006
【図５】
2018088195.tif 000007
【図６】
2018088195.tif 000008
【図７】
2018088195.tif 000009
【図８】
2018088195.tif 000010
【図９】
2018088195.tif 000011
【図１０】
2018088195.tif 000012